(57)【特許請求の範囲】
【請求項１】
表示領域及び前記表示領域の少なくとも一部分に隣接する非表示領域が画定されたベース部材と、
前記ベース部材の一面の上に前記非表示領域の少なくとも一部分に対応するように配置され、少なくとも１つの開口部が具備された遮光層と、
前記遮光層が配置された前記ベース部材の一面の上に前記開口部に対応するように配置され、前記開口部に向かう入射光の一部を透過させるフィルター層と、を含み、
前記フィルター層は、
前記入射光を遮断する複数の第１粒子と、
前記入射光を透過させる複数の第２粒子とを含む、表示装置用ウィンドウ部材。
【請求項２】
前記複数の第１粒子は前記遮光層と実質的に同一のカラーを有することを特徴とする請求項１に記載の表示装置用ウィンドウ部材。
【請求項３】
前記複数の第１粒子はブラックカラーを有し、
前記複数の第１粒子と前記複数の第２粒子との重量比は８：１乃至１２：１であることを特徴とする請求項１に記載の表示装置用ウィンドウ部材。
【請求項４】
前記複数の第１粒子はホワイトカラーを有し、
前記複数の第１粒子と前記複数の第２粒子との重量比は１．５：１乃至２．５：１であることを特徴とする請求項１に記載の表示装置用ウィンドウ部材。
【請求項５】
前記ベース部材と前記遮光層との間に配置されたカラー層をさらに含むことを特徴とする請求項１に記載の表示装置用ウィンドウ部材。
【請求項６】
前記複数の第１粒子は前記カラー層と実質的に同一のカラーを有することを特徴とする請求項５に記載の表示装置用ウィンドウ部材。
【請求項７】
前記フィルター層が配置された前記ベース部材の一面の上に前記フィルター層に対応するように配置され、前記入射光にカラーを与えるカラー層をさらに含む請求項１に記載の表示装置用ウィンドウ部材。
【請求項８】
前記ベース部材は強化ガラス又は強化プラスチックで構成されたことを特徴とする請求項１に記載の表示装置用ウィンドウ部材。
【請求項９】
前記遮光層は前記ベース部材の一面に直接形成され、前記非表示領域全ての部分に対応するように配置されたことを特徴とする請求項１に記載の表示装置用ウィンドウ部材。
【請求項１０】
映像を表示する表示パネルと、
前記表示パネルを収納するハウジングと、
前記表示パネルの上に配置されたタッチパネルと、
前記タッチパネルの上に配置されたウィンドウ部材と、を含み、
前記ウィンドウ部材は、
前記映像が透過される表示領域及び前記表示領域の少なくとも一部分に隣接する非表示領域が画定されたベース部材と、
前記ベース部材の下面の上に前記非表示領域の少なくとも一部分に対応するように配置され、少なくとも１つの開口部が具備された遮光層と、
前記ベース部材の下面の上に前記開口部に対応するように配置され、前記開口部に向かう入射光の一部を透過させるフィルター層と、を含み、
前記フィルター層は、
前記入射光を遮断する複数の第１粒子と、
前記入射光を透過させる複数の第２粒子と、を含むことを特徴とする表示装置。
【請求項１１】
前記ハウジングに収納され、前記入射光を提供する光源部をさらに含むことを特徴とする請求項１０に記載の表示装置。
【請求項１２】
前記光源部は、
元の光を生成する発光素子と、
前記元の光を受信し、前記元の光の経路を変更して前記入射光を提供する導光板と、を含むことを特徴とする請求項１１に記載の表示装置。
【請求項１３】
前記複数の第１粒子は前記遮光層と実質的に同一のカラーを有することを特徴とする請求項１０に記載の表示装置。
【請求項１４】
前記ベース部材と前記フィルター層との間に配置されたカラー層をさらに含むことを特徴とする請求項１０に記載の表示装置。
【請求項１５】
前記複数の第１粒子は前記カラー層と実質的に同一のカラーを有することを特徴とする請求項１４に記載の表示装置。
【請求項１６】
前記フィルター層が配置された前記ベース部材の一面の上に前記フィルター層に対応するように配置され、前記入射光にカラーを与えるカラー層をさらに含む請求項１０に記載の表示装置。
【請求項１７】
前記ベース部材は強化ガラス又は強化プラスチックで構成されたことを特徴とする請求項１０に記載の表示装置。
【請求項１８】
前記遮光層は前記ベース部材の下面に直接形成され、前記非表示領域全ての部分に対応するように配置されたことを特徴とする請求項１０に記載の表示装置。
【請求項１９】
表示領域及び前記表示領域に隣接する非表示領域が画定されたベース部材と、
前記ベース部材の一面の上に前記非表示領域と重なるように配置され、開口部が具備された遮光層と、
前記開口部を充填し、前記開口部に向かう入射光の一部分を透過させるように構成されたフィルター層と、を含み、
前記フィルター層が、
前記入射光の前記一部分とは別の部分を遮断するように構成された複数の第１粒子と、
前記入射光の前記一部分を透過させるように構成された複数の第２粒子と、を含む、表示装置用ウィンドウ部材。
【請求項２０】
前記フィルター層及び前記開口部が実質的に同一の形状を有し、前記フィルター層及び前記遮光層が同一の層の上に配置されたことを特徴とする請求項１９に記載の表示装置用ウィンドウ部材。
【請求項２１】
前記フィルター層が、
前記開口部と同一の形状を有し、前記開口部を充填する第１の部分と、
前記第１の部分と接続され、前記遮光層と重なる第２の部分と、を含むことを特徴とする請求項１９に記載の表示装置用ウィンドウ部材。
【請求項２２】
前記第１粒子及び前記遮光層が実質的に同一のカラーを有することを特徴とする請求項１９に記載の表示装置用ウィンドウ部材。
【請求項２３】
前記ベース部材と前記遮光層との間に配置されたカラー層をさらに含むことを特徴とする請求項１９に記載の表示装置用ウィンドウ部材。
【請求項２４】
前記第１粒子及び前記カラー層が実質的に同一のカラーを有することを特徴とする請求項２３に記載の表示装置用ウィンドウ部材。
【請求項２５】
前記フィルター層の上に前記フィルター層と重なるように配置され、前記入射光のカラーを変更するように構成されたカラー層をさらに含むことを特徴とする請求項１９に記載の表示装置用ウィンドウ部材。
【請求項２６】
映像を表示する表示パネルと、
前記表示パネルの上に配置されたタッチパネルと、
前記タッチパネルの上に配置されたウィンドウ部材と、
前記ウィンドウ部材に入射光を提供するように構成された光源部と、を含み、
前記ウィンドウ部材は、
前記映像が透過される表示領域及び前記表示領域に隣接する非表示領域が画定されたベース部材と、
前記ベース部材の下面の上に前記非表示領域と重なるように配置され、開口部が具備された遮光層と、
前記開口部を充填し、入射光の一部分を透過させるように構成されたフィルター層と、を含み、
前記フィルター層が、
前記入射光の前記一部分とは別の部分を遮断する複数の第１粒子と、
前記入射光の前記一部分を透過させる複数の第２粒子と、を含むことを特徴とする表示装置。
【請求項２７】
前記第１粒子及び前記遮光層が実質的に同一のカラーを有することを特徴とする請求項２６に記載の表示装置。
【請求項２８】
前記ベース部材と前記フィルター層との間に配置されたカラー層をさらに含むことを特徴とする請求項２６に記載の表示装置。
【請求項２９】
前記第１粒子及び前記カラー層が実質的に同一のカラーを有することを特徴とする請求項２８に記載の表示装置。
【請求項３０】
前記フィルター層の上に前記フィルター層と重なるように配置され、前記入射光のカラーを変更するように構成されたカラー層をさらに含むことを特徴とする請求項２６に記載の表示装置。
【発明の詳細な説明】
【技術分野】
【０００１】
本発明は表示装置用ウィンドウ部材及びこれを含む表示装置に関し、より詳細には入力アイコンが具備された表示装置用ウィンドウ部材及びこれを含む表示装置に関する。
【背景技術】
【０００２】
テレビ、携帯電話機、ナビゲーション、コンピューターモニター、ゲーム機等のような多様な表示装置が開発されている。
【０００３】
前記表示装置はボリューム調節、メニュー選択等様々な機能を設定するために複数のボタンを具備する。従来の表示装置は前記ボタンの各々が独立的に前記表示装置に装着されていた。最近では、前記ボタンを統合するために前記表示装置はタッチパネルを装着している。
【０００４】
前記タッチパネルを含む表示装置はウィンドウ部材に各機能を示す複数の入力アイコンを具備する。使用者は前記入力アイコンの中で目的とする機能を示す入力アイコンを選択して表示装置を前記目的とする機能に合うように作動させる。
【０００５】
従来の表示装置は表示装置の作動の可否に関係なく前記入力アイコンが使用者に認識される。例えば、表示装置がオフされている場合でも使用者は前記入力アイコンを認識できる。
【先行技術文献】
【特許文献】
【０００６】
【特許文献１】韓国公開特許第１０−２０１０−００３２２６９号公報
【発明の概要】
【発明が解決しようとする課題】
【０００７】
本発明は特定なモードのみで入力アイコンが使用者に認識される表示装置用ウィンドウ部材及びこれを含む表示装置を提供することを目的とする。
【課題を解決するための手段】
【０００８】
本発明の一実施形態による表示装置用ウィンドウ部材は表示領域及び前記表示領域の少なくとも一部に隣接する非表示領域が画定されたベース部材、少なくとも１つの開口部が具備された遮光層、及び前記開口部に向かう入射光の一部を透過させるフィルター層を含む。前記遮光層は前記ベース部材の一面の上に前記非表示領域の少なくとも一部に対応するように配置され、前記フィルター層は前記遮光層が配置された前記ベース部材の一面の上に前記開口部に対応するように配置される。
【０００９】
本発明の一実施形態による表示装置は映像を表示する表示パネル、前記表示パネルを収納するハウジング、前記表示パネルの上に配置されたタッチパネル、及び前記タッチパネルの上に配置された前記ウィンドウ部材を含む。
【００１０】
前記フィルター層は前記入射光を遮断する複数の第１粒子及び前記入射光を透過させる複数の第２粒子を包含できる。
【００１１】
前記複数の第１粒子は前記遮光層と実質的に同一なカラーを有することができる。また、前記複数の第１粒子はブラックカラーを有し、前記複数の第１粒子と前記複数の第２粒子との重量比は８：１乃至１２：１であり得る。代案的に、前記複数の第１粒子はホワイトカラーを有し、前記複数の第１粒子と前記複数の第２粒子との重量比は１．５：１乃至２．５：１であり得る。
【００１２】
前記ウィンドウ部材は前記フィルター層が配置された前記ベース部材の一面の上に前記フィルター層に対応するように配置され、前記開口部に向かう入射光に第１カラーを与える第１カラー層をさらに包含できる。
【００１３】
前記ウィンドウ部材は前記ベース部材と前記遮光層との間に配置された第２カラー層をさらに包含できる。
【００１４】
前記複数の第１粒子は前記第２カラー層と実質的に同一なカラーを有することができる。
【００１５】
前記ベース部材は強化ガラス又は強化プラスチックで構成され得、前記遮光層は前記ベース部材の一面に直接形成され、前記非表示領域の全てに対応するように配置され得る。
【００１６】
前記表示装置は前記入射光を提供する光源部をさらに包含できる。ここで、前記光源部は元の光を生成する発光素子及び前記発光素子で生成された前記元の光を受信して前記入射光を提供する導光板を包含できる。
【発明の効果】
【００１７】
本発明の一実施形態による表示装置用ウィンドウ部材は入力アイコンを具備する。前記入力アイコンは遮光層に具備された開口部によって画定される。前記ウィンドウ部材は前記開口部の上に配置されるフィルター層を具備して入射光の光量の中で一部のみを透過させる。
本発明の一実施形態による表示装置は前記ウィンドウ部材を含む。前記入力アイコンは特定なモードのみで使用者に認識される。
【図面の簡単な説明】
【００１８】
【図１】本発明の一実施形態による表示装置の分解斜視図である。
【図２】図１に図示された表示装置のブロック図である。
【図３】図１に図示された表示装置が第１モードで動作する時に現れるウィンドウ部材を示した斜視図である。
【図４】図３のＩ−Ｉ’に沿って切断した断面図である。
【図５】図１に図示された表示装置が第２モードで動作する時に現れるウィンドウ部材を示した斜視図である。
【図６】図５のＩＩ−ＩＩ’に沿って切断した断面図である。
【図７】図６のＡＡ領域を拡大して示した断面図である。
【図８】本発明の他の実施形態による表示装置の一部を示した断面図である。
【図９】本発明のその他の実施形態による表示装置の一部を示した断面図である。
【図１０】本発明のその他の実施形態による表示装置の一部を示した断面図である。
【発明を実施するための形態】
【００１９】
本発明は多様な変更を加えることができ、様々な形態を有することができるので、特定実施形態を図面に例示し、本明細書中で詳細に説明する。しかし、これは本発明を特定の開示形態に対して限定しようとすることでなく、本発明の思想及び技術範囲に含まれる全ての変更、均等物または代替物を含むこととして理解しなければならない。
以下、添付した図面を参照して本発明の望ましい実施形態をより詳細に説明する。
【００２０】
図１は本発明の一実施形態による表示装置の分解斜視図であり、図２は図１に図示された表示装置のブロック図である。
本発明の一実施形態による表示装置は表示パネル１００、前記表示パネル１００を収納するハウジング２００、前記表示パネル１００の上に配置されたタッチパネル３００及び前記タッチパネル３００の上に配置されたウィンドウ部材４００を含む。
【００２１】
図１乃至図２において、本発明の一実施形態による表示装置は携帯電話機を例示的に図示している。しかし、本発明による表示装置は携帯電話機に限定されず、テレビ、ナビゲーション、コンピューターモニター、ゲーム機等多様な情報提供装置を含む。
【００２２】
前記表示パネル１００は映像を表示する。前記表示パネルは特別に限定されるものではなく、例えば、有機発光表示パネル（ｏｒｇａｎｉｃ  ｌｉｇｈｔ  ｅｍｉｔｔｉｎｇ  ｄｉｓｐｌａｙ  ｐａｎｅｌ）、液晶表示パネル（ｌｉｑｕｉｄ  ｃｒｙｓｔａｌ  ｄｉｓｐｌａｙ  ｐａｎｅｌ）、プラズマ表示装置（ｐｌａｓｍａ  ｄｉｓｐｌａｙ  ｐａｎｅｌ）、電気泳動表示パネル（ｅｌｅｃｔｒｏｐｈｏｒｅｔｉｃ  ｄｉｓｐｌａｙ  ｐａｎｅｌ）、及びエレクトロ・ウェッティング表示パネル（ｅｌｅｃｔｒｏｗｅｔｔｉｎｇ  ｄｉｓｐｌａｙ  ｐａｎｅｌ）等の多様な表示パネルを包含できる。
【００２３】
前記ハウジング２００は前記表示パネル１００を収納する。図１で１つの部材に構成されたハウジングを例示的に図示している。しかし、前記ハウジング２００は２つ以上の部材が結合されて構成されることもあり得る。以下、１つの部材で構成されたハウジングを例示的に説明する。
【００２４】
前記ハウジング２００は前記表示パネル１００以外に複数の能動素子（図示せず）及び／又は複数の受動素子（図示せず）が実装された回路基板ＰＣＢをさらに収納する。また、表示装置の種類にしたがってバッテリーのような電源部（図示せず）をさらに収納することができる。
【００２５】
前記タッチパネル３００は前記表示装置の入力手段としてタッチした地点の座標情報を算出する。前記タッチパネル３００としては、抵抗式タッチパネル又は静電容量式タッチパネル等が採用できる。
【００２６】
前記抵抗式タッチパネルとしては、互に離隔されて配置された２つの抵抗膜を具備するアナログ抵抗式タッチパネル又は第１抵抗パターン及び前記第１抵抗パターンと互に離隔されて配置された第２抵抗パターンを具備するデジタル抵抗式タッチパネルが採用できる。前記抵抗式タッチパネルは前記２つの抵抗膜が外圧によって接触するか、或いは、前記第１抵抗パターンと前記第２抵抗パターンとが外圧によって接触するとき、出力される電圧を検出して接触された地点の座標情報を算出する。
【００２７】
前記静電容量式タッチパネルは第１センシングパターン及び前記第１センシングパターンと絶縁され、交差されるように配置された第２センシングパターンを具備する。入力手段が前記静電容量式タッチパネルに接触するとき、前記第１センシングパターン及び前記第２センシングパターンに発生する静電容量の変化を検出し、前記静電容量の変化に基づいて接触された地点の座標情報を算出する。
【００２８】
前記ウィンドウ部材４００は前記タッチパネル３００の上に配置され、前記ハウジング２００に結合されて前記ハウジング２００と共に表示装置の外面を構成する。この時、前記タッチパネル３００は前記ウィンドウ部材４００に結合され得る。
【００２９】
前記ウィンドウ部材４００は平面の上に前記表示パネル１００で生成された映像が表示される表示領域ＡＲと前記表示領域ＡＲの少なくとも一部に隣接する非表示領域ＮＡＲを含む。
【００３０】
前記非表示領域ＮＡＲでは前記映像が表示されない。また、前記非表示領域ＮＡＲの中で少なくとも一部が入力アイコン領域ＮＡＲ−Ｉとして定義される。前記入力アイコン領域ＮＡＲ−Ｉは後述のように、遮光層４２０の開口部４２０−ＯＰが配置された領域である。
【００３１】
前記表示装置は前記ハウジング２００に収納されて前記入力アイコン領域ＮＡＲ−Ｉに光を提供する光源５００をさらに含む。前記光源５００は前記表示装置が特定のモードで作動するときのみに前記入力アイコン領域ＮＡＲ−Ｉへ前記光を提供する。
【００３２】
以下、図２を参照して本発明の一実施形態による表示装置の作動方法を説明する。一方、図２に図示された制御部ＤＣＰは図１を参照して説明した回路基板ＰＣＢに実装された能動素子で構成される。前記能動素子は前記表示パネル１００に映像信号を提供するマイクロプロセッサーを含む。また前記能動素子は前記タッチパネル３００に外部入力が発生したとき、外部入力が発生した地点の座標を計算するマイクロプロセッサーを含む。
【００３３】
電源ボタン（図示せず）等を通じて前記制御部ＤＣＰに作動開示信号ＩＳが入力されれば、前記制御部ＤＣＰは外部から入力された電源Ｖｄを通じて前記表示パネル１００、タッチパネル３００等を作動させる。メモリー（図示せず）に格納されているか、或いは外部で入力された映像信号ＩＤを前記表示パネル１００へ提供し、前記表示パネル１００は前記映像信号ＩＤに基づいて映像を生成する。
【００３４】
前記制御部ＤＣＰは光源動作信号ＬＳを前記光源５００へ出力する。前記光源動作信号ＬＳは前記タッチパネル３００から受信した座標情報信号ＴＳに基づいて生成され得る。
【００３５】
本実施形態で前記制御部ＤＣＰへ前記光源動作信号ＬＳが印加されないとき、表示装置の作動モードを第１モードとして定義し、前記制御部ＤＣＰへ前記光源動作信号ＬＳが印加されたとき、表示装置の作動モードを第２モードとして定義する。
【００３６】
図３は図１に図示された表示装置が前記第１モードで動作する時に現れるウィンドウ部材を示した斜視図であり、図４は図３のＩ−Ｉ’に沿って切断した断面図である。また、図５は図１に図示された表示装置が前記第２モードで動作する時に現れるウィンドウ部材を示した斜視図であり、図６は図５のＩＩ−ＩＩ’に沿って切断した断面図である。図７は図６のＡＡ領域を拡大して示した断面図である。
【００３７】
以下、図３乃至図７を参照して前記ウィンドウ部材４００についてより詳細に説明する。
前記ウィンドウ部材４００はベース部材４１０、少なくとも１つの開口部４２０−ＯＰが具備された遮光層４２０、及びフィルター層４３０を含む。
前記ベース部材４１０は透明な板形状の部材として平面の上に前記映像が通過する表示領域ＡＲと前記表示領域ＡＲとの少なくとも一部に隣接する非表示領域ＮＡＲを含む。
【００３８】
図３及び図５に図示されたように、前記表示領域ＡＲは前記非表示領域ＮＡＲによって囲まれることができる。しかし、これに限定されず、前記非表示領域ＮＡＲは平面の上に前記表示領域ＡＲを介して２つの領域で分割され得る。
【００３９】
前記ベース部材４１０としてはガラスが採用でき、通常のガラスより硬度が高い強化ガラスが採用されることが望ましい。また、プラスチックが採用でき、プラスチックの中でもポリカーボネートのような透明な強化プラスチックが採用されることが望ましい。
【００４０】
前記遮光層４２０は前記ベース部材４１０の一面の上に配置され、前記非表示領域ＮＡＲの少なくとも一部に対応するように配置される。前記遮光層４２０は前記ベース部材４１０の他面の上から入射される光を吸収するか、或いは反射させる。
【００４１】
前記遮光層４２０は少なくとも１つの開口部４２０−ＯＰを具備する。図３及び図５は２つの開口部４２０−ＯＰが具備された遮光層４２０を含むウィンドウ部材４００を例示的に図示している。また、前記遮光層４２０が前記非表示領域ＮＡＲの全ての部分に対応するように配置されたことを例示的に図示している。
【００４２】
前記開口部４２０−ＯＰは平面の上に多様な形状を有することができる。前記開口部４２０−ＯＰの平面の上に受話器、矢印のような特定の機能を暗示する形状や、文字の形状を有し得る。前記開口部４２０−ＯＰは使用者に入力アイコンで認識される。
【００４３】
前記フィルター層４３０は前記遮光層４２０が配置された前記ベース部材４１０の一面の上に前記開口部４２０−ＯＰに対応するように配置される。前記フィルター層４３０は前記光源５００で生成された後、前記開口部４２０−ＯＰに向かって入射される光（以下、内部光）の一部を透過させる。
【００４４】
前記フィルター層４３０は前記開口部４２０−ＯＰに充填される。前記ベース部材４１０の一面の上に直接形成された遮光層４２０の一部分にフィルター層４３０を構成する物質を塗布し、乾燥させて前記ベース部材４１０の一面の上に前記フィルター層４３０を形成する。前記フィルター層４３０を前記ベース部材４１０に形成する方法によって前記フィルター層４３０は前記開口部４２０−ＯＰのみでなく前記遮光層４２０の一面の上にも形成され得る。
【００４５】
前記フィルター層４３０は前記開口部４２０−ＯＰに向かって入射される光を遮断する複数の第１粒子４３０Ｂ（図７参照）と前記入射光を透過させる複数の第２粒子４３０Ｐ（図７参照）とを含む。それ以外にも前記フィルター層４３０は界面活性剤、粘着剤等のような添加剤をさらに包含できる。
【００４６】
図４に図示されたように、前記開口部４２０−ＯＰに向かって前記内部光が入射されなければ、図３に図示されたように前記開口部４２０−ＯＰは使用者に外部から認識されない。前記開口部４２０−ＯＰに向かって外部から入射される光（以下、外部光）は前記フィルター層４３０によって大部分反射される。前記外部光の中で一部が前記フィルター層４３０を通過しても前記外部光の光量は前記内部光の光量に比べて非常に小さいので前記開口部４２０−ＯＰは外部から認識されない。
【００４７】
前記第１粒子４３０Ｂのカラーが前記遮光層４２０のカラーと実質的に同一であるとき、前記開口部４２０−ＯＰは外部から認識されない。但し、本発明の一実施形態による前記ウィンドウ部材４００は、前記第１粒子４３０Ｂのカラーと前記遮光層４２０のカラーとが必ず同一であることを要求しない。
【００４８】
例えば、前記遮光層４２０はブラック、ホワイト、レッド、グリーン、ブラウンカラー等を有し得、前記第１粒子４３０Ｂは前記遮光層４２０のカラーと明度又は彩度は異なっても同一な色相を有するカラーを有することができる。また、前記遮光層４２０のカラーがブラックであり、前記第１粒子４３０Ｂのカラーがブラウン又はネイビー（Ｎａｖｙ）カラーを有するとしても上述した効果が示される。
【００４９】
図６に図示されたように、前記開口部４２０−ＯＰに向かって前記内部光が入射されれば、図５に図示されたように前記開口部４２０−ＯＰは入力アイコンとして外部から認識される。
【００５０】
図７に図示されたように、前記第１粒子４３０Ｂは前記内部光を遮断するが、実質的に透明な前記第２粒子４３０Ｐは前記内部光を通過させる。
【００５１】
前記光源５００で生成する光の光量が一定である時、前記フィルター層４３０を通過して前記ベース部材４１０の上へ出射される前記内部光の光量は前記第１粒子４３０Ｂと前記第２粒子との比率にしたがって決定される。
【００５２】
前記フィルター層４３０が過多な量の前記第２粒子４３０Ｐを包含すれば、前記外部光の透過率が高くなるので、前記内部光が生成しない場合でも前記開口部４２０−ＯＰが入力アイコンとして使用者に認識され得る。
【００５３】
一例として、前記第１粒子４３０Ｂがブラックカラーを有する場合、前記フィルター層４３０に含まれる前記第１粒子４３０Ｂと前記第２粒子４３０Ｐとの重量比は８：１乃至１２：１であり得る。前記比率に従う前記ブラックカラーの前記第１粒子４３０Ｂを含む前記フィルター層４３０は、内部光の光量の中で約０．１％乃至０．２７％を透過させる。
【００５４】
但し、上述した範囲は前記第１粒子４３０Ｂがブラックカラーを有する場合を示しているが、前記第１粒子４３０Ｂのカラーに従って前記第１粒子４３０Ｂと前記第２粒子４３０Ｐとの比率は変更できる。
【００５５】
他の例で前記第１粒子４３０Ｂがホワイトカラーを有する場合、前記第１粒子４３０Ｂと前記第２粒子４３０Ｐとの重量比は１．５：１乃至２．５：１であることが望ましい。前記比率に従う前記ホワイトカラーの前記第１粒子４３０Ｂを含む前記フィルター層４３０は内部光の約０．３％乃至１．２％を透過させる。
【００５６】
図８は本発明の他の実施形態による表示装置の一部を示した断面図である。図８を参照して本実施形態による表示装置を説明する。但し、図１乃至図７に図示された同一な構成要素に対しては同一の参照符号を付し、具体的な説明を省略する。
【００５７】
本実施形態による表示装置に含まれる光源５００は発光素子５１０と導光板５２０とを含む。前記導光板５２０は前記開口部４２０−ＯＰ又は前記入力アイコン領域ＮＡＲ−Ｉに対応するように前記遮光層４２０の下側に配置され、前記発光素子５１０は前記導光板５２０の一側に配置される。
【００５８】
前記発光素子５１０は発光ダイオードが採用される。前記発光ダイオードは外部から印加された駆動電圧に応答して光（以下、元の光：originating light）を生成する。前記発光ダイオードは半導体素子に消費電力が小さく、光度が優れ、寿命が長い。このような発光ダイオードはパッケージの形態に印刷回路基板（図示せず）に実装されて前記ハウジング２００内に収納される。
【００５９】
前記導光板５２０は前記元の光を受信して前記元の光の経路を変更して前記開口部４２０−ＯＰに向かって出射する。前記導光板５２０は前記開口部４２０−ＯＰに均一な光を提供する。
【００６０】
前記導光板５２０は方形プレート形状からなり得る。前記導光板５２０は機械的強度及び耐熱性が優れた透明な材料で構成される。例えば、ポリカーボネート及びアクリル樹脂の中のいずれか１つで構成され得る。
【００６１】
前記導光板５２０は前記発光素子と隣接する側面５２１、前記側面５２１の一端から延長された出射面５２２及び前記出射面５２２と平行であり、前記側面５２１の他端から延長された反射面５２３を含む。
【００６２】
前記側面５２１を通じて前記導光板５２０の内部に入射された光は前記出射面５２２を通過して外部へ出射されるか、或いは、前記反射面５２３によって反射された後、前記出射面５２２を通過して出射される。
【００６３】
図９は本発明のその他の実施形態による表示装置の一部を示した断面図である。図９を参照して本実施形態による表示装置を説明する。但し、図１乃至図７に図示された同一の構成要素に対しては同一の参照符号を付し、具体的な説明を省略する。
【００６４】
本実施形態による表示装置に含まれた前記ウィンドウ部材４００は第１カラー層４４０をさらに含む。
【００６５】
前記第１カラー層４４０は前記フィルター層４３０が配置された前記ベース部材４１０の一面の上に前記フィルター層４３０に対応するように配置される。前記第１カラー層４４０は前記開口部４２０−ＯＰに向かって入射された内部光に第１カラーを与える。
【００６６】
一例として、前記第１カラー層４４０がレッドカラーを有する場合、前記第１カラー層４４０を通過した内部光はレッドカラーを有する。以後、前記フィルター層４３０を通過して外部へレッドカラーの光を提供する。
【００６７】
他の例として、前記光源５００で生成された光がブルーカラーを有し、前記第１カラー層４４０がイエローカラーを有する場合、実質的に白色であるカラーの光を前記開口部４２０−ＯＰへ提供できる。
【００６８】
図１０は本発明のその他の実施形態による表示装置の一部を示した断面図である。図１０を参照して本実施形態による表示装置を説明する。但し、図１乃至図７に図示された同一の構成要素に対しては同一の参照符号を付し、具体的な説明を省略する。
【００６９】
本実施形態による表示装置に含まれたウィンドウ部材４００はベース部材４１０と前記遮光層４２０との間に配置された第２カラー層４５０をさらに含む。前記第２カラー層はホワイトカラーであるか、或いは、レッドカラー、グリーンカラー等のような有彩色を有する。
【００７０】
前記第２カラー層４５０は平面の上で前記遮光層４２０に対応する形状を有する。具体的に前記第２カラー層４５０は前記ベース部材４１０の一面の上に前記非表示領域ＮＡＲに対応するように配置される。前記遮光層４２０は前記第２カラー層４５０の上に前記第２カラー層４５０に対応するように配置される。即ち、図９に図示されたように、ベース部材４１０の一面に前記第２カラー層４５０と前記遮光層４２０とが順次的に積層される。
【００７１】
使用者は前記ベース部材４１０に直接形成された前記第２カラー層４５０のカラーを認識する。前記第２カラー層４５０は外部光を１次的に遮断し、前記遮光層４２０は前記第２カラー層４５０を透過した外部光を２次的に遮断する。
【００７２】
前記第２カラー層４５０をさらに含む前記ウィンドウ部材４００は前記フィルター層４３０に含まれた前記第１粒子４３０Ｂが前記第２カラー層４５０と実質的に同一のカラーを有する。
【００７３】
図９に図示していないが、前記第２カラー層４５０は前記遮光層４２０に具備された開口部４２０−ＯＰに対応する開口部を具備することもあり得る。この時、前記フィルター層４３０は前記第２カラー層４５０の開口部まで充填される。
【００７４】
一方、本発明は記載された実施形態に限定されることでなく、本発明の思想及び範囲を逸脱しないで多様に修正及び変形ができることはこの技術分野で通常の知識を有する者には明確である。したがって、そのような変形形態又は修正例は本発明の特許請求の範囲に属するものである。
【符号の説明】
【００７５】
１００  表示パネル
２００  ハウジング
３００  タッチパネル
４００  ウィンドウ部材
４１０  ベース部材
４２０  遮光層
４３０  フィルター層
４４０  第１カラー層
４５０  第２カラー層
５００  光源
ＤＣＰ  制御部
【図１】
0005911282.tif 000002
【図２】
0005911282.tif 000003
【図３】
0005911282.tif 000004
【図４】
0005911282.tif 000005
【図５】
0005911282.tif 000006
【図６】
0005911282.tif 000007
【図７】
0005911282.tif 000008
【図８】
0005911282.tif 000009
【図９】
0005911282.tif 000010
【図１０】
0005911282.tif 000011